(57)【特許請求の範囲】
【請求項１】
積載物を積載する以前の運搬車の重量を、トラックスケールで測定する第１回目の測定を行ない、更に、作業機により該運搬車に所定の積載物を積載し、積載物が積載された運搬車の総重量をトラックスケールで再び測定する第２回目の測定を行なうようにしたトラックスケール情報の転送表示方法において、前記第１回目の測定を行なう際に、積載物等の運搬車に関する所定の情報を入力し、該所定の情報を、データ処理機で処理した後に、無線機を介して前記作業機に設置された表示手段に転送表示し、作業機の積込オペレータが表示手段の表示に基づいて運搬車に積載物を積載することを特徴とするトラックスケール情報の転送表示方法。
【請求項２】
前記表示手段がモニターからなり、第２回目の測定を行なうことにより、積載作業の終了した運搬車に関する情報を、画面から消去する請求項１に記載のトラックスケール情報の転送表示方法。
【請求項３】
前記表示手段がモニターからなり、前記データ処理機は順次送信されてくる各運搬車に関する情報を順番をつけて記憶し、該モニターには、積載作業順にその情報が表示され、第２回目の測定を行なうことにより、積載作業の終了した運搬車に関する情報をモニターの画面から順次消去する請求項１に記載のトラックスケール情報の転送表示方法。
【請求項４】
積載物を積載する以前の運搬車の重量を、トラックスケールで測定する第１回目の測定と、作業機により所定の積載物が積載された運搬車の重量を測定する第２回目の測定とをトラックスケールで行なうようにしたトラックスケール情報の転送表示システムにおいて、前記第１回目の測定時に、積載物等の運搬車に関する所定の情報を記憶する記憶手段と、該記憶手段に記憶された前記情報を処理するためのデータ処理機と、該データ処理機で処理された情報を作業機側に転送する無線機と、該作業機側に設けられ且つ前記無線機からの情報を積込オペレータが目視できるように表示する表示手段とを備えたことを特徴とするトラックスケール情報の転送表示システム。
【発明の詳細な説明】
【０００１】
【発明の属する技術分野】
本発明は、例えば砂、砕石、砂利等の骨材として使用される積載物を作業機により運搬車に積載するに際して、積載に必要な運搬車に関する所定の情報を作業機の積込オペレータに表示するトラックスケール情報の転送表示方法及びそのシステムに関する。
【０００２】
【従来の技術】
従来、例えば骨材として使用される砂、砕石、砂利等は重量売りされているのが一般的である。かかる砂利等の骨材を商品として販売する際には、先ず、骨材の積載される以前のトラックの重量をトラックスケールで測定し、その後に、この運搬車には、所定の種類の骨材が、バケットを備えた作業機により積載される。
【０００３】
更に、積載作業の終了した運搬車はトラックスケールまで走行し、骨材を積載した状態の運搬車の総重量を再び測定し、骨材等の積載前後の運搬車の重量差を骨材の正味の重量としている。
【０００４】
従来では、トラックスケールには、各運搬車に関する所定の情報、例えば車番、顧客名及び骨材の種類を示す商品名等が、カードリーダ手段により入力され且つ記憶される。作業機に乗車した積込オペレータがこのトラックスケールに入力された各運搬車に関する情報を知るためには、トラックスケールを管理する事務所の連絡員が、その情報を積込オペレータに適宜無線で連絡していた。
【０００５】
【発明が解決しようとする課題】
しかしながら、積込オペレータは、事務所から連絡を受けて記憶した情報に基づいて所定種類の骨材を所定の運搬車に積載するため、誤った種類の骨材を積載するおそれがある。
【０００６】
特に、運搬車が増加してくると、各運搬車毎に情報も異なるため、積込オペレータによる負担は増加し、上記問題が顕著となり、無線による連絡は限界がある。しかも、無線による連絡は人為的に行なうため、人件費が高くなり、コスト面で問題がある。
【０００７】
また、一般的には、運搬車の運転手が積込オペレータに直接骨材を指定して積載を口頭で依頼する場合もある。かかる場合には、両者が各運搬車に乗車した状態で情報の伝達を行なうため、情報の伝達が不正確であり、しばしば積込オペレータに混乱が生じる。
【０００８】
本発明は、従来技術の上記した問題点に鑑み、作業機の積込オペレータが、運搬車に積載物を積載する際に、表示手段に表示されたその運搬車に関する情報を確認しながら積載作業を正確に行なえるようにして、積込オペレータの作業性の向上と、作業コストの低減を図ることを課題とする。
【０００９】
【課題を解決するための手段】
本発明は、上記した課題を解決するためにトラックスケール情報の転送表示方法及びそのシステムとしてなされたもので、トラックスケール情報の転送表示方法としての特徴は、積載物を積載する以前の運搬車の重量を、トラックスケールで測定する第１回目の測定を行ない、更に、作業機により該運搬車に所定の積載物を積載し、積載物が積載された運搬車の総重量をトラックスケールで再び測定する第２回目の測定を行なうようにしたトラックスケール情報の転送表示方法において、前記第１回目の測定を行なう際に、積載物等の運搬車に関する所定の情報を入力し、該所定の情報を、データ処理機で処理した後に、無線機を介して前記作業機に設置された表示手段に転送表示し、作業機の積込オペレータが表示手段の表示に基づいて運搬車に積載物を積載することにある。
【００１０】
従って、商品を積み込む作業機のオペレータは、その表示に基づいて積み込み作業を行なうことにより、要求どおり且つ各運搬車の順序どおりに所定の商品を運搬車に積載することができる。
【００１１】
しかも、前記表示手段がモニターからなり、第２回目の測定を行なうことにより、積載作業の終了した運搬車に関する情報を、画面から消去するのが好ましい。
【００１２】
更に、前記表示手段がモニターからなり、前記データ処理機は順次送信されてくる各運搬車に関する情報を順番をつけて記憶し、前記モニターには、積載作業順にその情報が表示され、第２回目の測定を行なうことにより、積載作業の終了した運搬車に関する情報をモニターの画面から順次消去することがより好ましい。
【００１３】
また、トラックスケール情報の転送表示システムとしての特徴は、積載物を積載する以前の運搬車の重量を、トラックスケールで測定する第１回目の測定と、作業機により所定の積載物が積載された運搬車の重量を測定する第２回目の測定とをトラックスケールで行なうようにしたトラックスケール情報の転送表示システムにおいて、前記第１回目の測定時に、積載物等の運搬車に関する所定の情報を記憶する記憶手段と、該記憶手段に記憶された前記情報を処理するためのデータ処理機と、該データ処理機で処理された情報を作業機側に転送する無線機と、該作業機側に設けられ且つ前記無線機からの情報を積込オペレータが目視できるように表示する表示手段とを備えたことにある。
【００１４】
【実施の形態】
以下に本発明の実施の形態について説明する。
図１において、１はトラック等の運搬車３の重量を測定するためのトラックスケールで、地面４に埋設されている。該トラックスケール１には、運搬車３の車番、積載される積載物としての砂や砕石（砂利等も含む）の種類及び顧客名等の運搬車３に関する所定の情報が入力される。その入力手段としては、例えば、運搬車３の運転手が専用のパンチカード又は磁気カードをトラックスケール１に設けられた読み取り手段に挿入することにより入力し、その記憶手段２で記憶される。尚、入力手段は、前記カードリーダの入力手段に限定されるものではない。
【００１５】
トラックスケール１上を運搬車３が通過することにより、積載物を積載する以前の運搬車３の重量測定（第１回目の測定）と、積載物を積載後の運搬車３の総重量測定（第２回目の測定）とを行ない、各測定値が前記記憶手段２に記憶され、積載物の積載前後の運搬車の重量差が測定される。
【００１６】
５は前記トラックスケール１の記憶手段２に接続されたシーケンサ等のデジタルデータ処理装置で、該デジタルデータ処理装置５は、前記トラックスケール１に入力された運搬車３に関する情報が送信されるようになっている。デジタルデータ処理装置５は、複数の運搬車３に関する情報を順番を付けて記憶することが可能な記憶手段５ａを備え、トラックスケール１に内蔵しても、あるいは、トラックスケール１と離間する位置（事務所等）に別途設置するようにしても良い。
【００１７】
デジタルデータ処理装置５には無線機６の送信器７が接続されており、デジタルデータ処理装置５によりデジタル処理された情報は、該送信器７を介して作業機１０に搭載された受信器８に転送される。
【００１８】
作業機１０は、第１回目の測定が終了し所定の位置で待機する運搬車３に、例えばバケットで所定の積載物を積載するためのもので、該作業機１０には、表示手段としてのコンピュータが内蔵された小型のモニター１２が、座席に着座する積込オペレータの目視し易い位置に設けられている。該モニター１２において、前記受信器８により受信された情報は文字に変換され、積載物の商品名、車番及び顧客名等の運搬車３に関する文字が画面に表示可能である。尚、前記モニター１２と同様のモニター１２ａが事務所にも設置されている。
【００１９】
モニター１２ａの表示例としては、図２に示すように、複数種類の砂や砕石等の商品名１５に対応して各車番１６が前記トラックスケール１への入力順に表示されるようになっている（第一画面）。
【００２０】
また、モニター１２は、作業機１０のオペレータが複数の画面に切り換え可能に設けられており、図３に示すように、積載物とは無関係に入力順に運搬車３に関する情報（運搬車の車番１６、商品名１５、顧客名１８及び順番２０等）が表示される（第二画面）。
【００２１】
また、入力時から所定の時間経過した運搬車３に対しては、その車番１６や顧客名１８の表示色を変化させたり、又は点滅表示させるようにすることができる。表示色の変化等の動作は、モニター１２にプログラミングしておいても、又は事務所員が、事務所側のモニター１２ａを確認しながら操作するようにしても良い。
【００２２】
積載の終了した運搬車３の第２回目の測定により、積載物を含むその運搬車３の総重量がトラックスケール１の記憶手段２に記憶されると共に、第２回目の測定が終了した情報は再びデジタルデータ処理装置５に送信される。デジタルデータ処理装置５は、この情報に基づき該運搬車３に関する表示をモニター１２の画面から消去すべく、情報をモニター１２に転送するようになっている。
【００２３】
次に、上記実施の形態のトラックスケール情報の転送表示システムを使用して積載物を運搬車に積載する場合について説明する。
先ず、運搬車３が積載場へ入場する際にトラックスケール１を通過し、トラックスケール１により、未だ積載物の積載されていない運搬車（空車）３の重量を測定する。運搬車３の運転手は、専用のパンチカード等を読み取り手段に挿入する。この第１回目の測定値と共に該運搬車３に関する所定の情報が、トラックスケール１の記憶手段２に記憶される。
【００２４】
かかる情報はデジタル情報処理装置５に送信され、デジタル情報処理装置５は得られた情報をデジタル処理すると共に、記憶手段５ａが順番を付けて記憶する。更に、デジタルデータ処理装置５の情報は、送信器７を介して作業機１０側の受信器８に転送され、その情報は文字に変換され、積載物の種類を特定する商品名１５、車番１６及び顧客名１８等の所定の情報が文字でモニター１２の画面に順番に表示される。
【００２５】
運搬車３が複数となり混み合ってきた場合、デジタルデータ処理装置５は、前記第１回目の測定の情報を順番を付けて記憶するため、モニター１２には、第一画面の如く、測定した順に各運搬車３に関する情報が上段から順次表示されることとなる。
【００２６】
第１回目の測定が終了した各運搬車３は、積載場の所定の位置まで走行する。一方、待機する作業機１０のモニター１２には、図２に示す如く各積載物毎に各運搬車３の車番１６等の情報が時系列で表示されているため、積込オペレータはその表示に基づいて作業機１０を操作し、所定の積載物を所定の運搬車３に積載する。
【００２７】
ここで、仮にトラックスケール１を通過していないために、モニター１２に表示されていない運搬車３が待機していた場合であっても、積込オペレータは、その運搬車がトラックスケール１を通過していないことをモニター１２で確認できるため、誤って該運搬車３に別の骨材を積載してしまうおそれはない。
【００２８】
更に、例えば、商品名が砂１用のカードを使用しながら、別種類の砂２の場所に運搬車３が待機していた場合であっても、積込オペレータは、カードにより入力された商品名１５と、車番１６とをモニター１２で対比確認できるため、異なる積載物を誤って積載してしまうのが防止できる。
【００２９】
また、積込オペレータは、運搬車３の混み具合を一目瞭然に確認でき、従って、混み合っている積載物（例えば、砂１）を集中的に運搬車３に積載することも可能である。
【００３０】
また、モニター１２の画面を、図３に示す第二画面に切り換えることにより、積載物とは無関係に各運搬車３の入力の順番が確認でき、その順番に従って所定の積載物を運搬車３に積載することができる。また、入力から所定の時間経過した場合には、各運搬車３の表示色が変化等するので、積込オペレータは入力から所定の時間経過していることを知ることもできる。
【００３１】
更には、至急に積み込みが必要な顧客に対しては、顧客名１８の表示色が変化したり等するため、積込オペレータは優先してその運搬車３に所定の積載物を積載することができる。
【００３２】
尚、積込オペレータのモニター１２と同様のモニター１２ａが事務所にも設置されているため、該モニター１２ａに基づいて事務所からも必要に応じて重要な顧客を、前記モニター１２に色別指示することが可能である。
【００３３】
積載の終了した運搬車３は、再びトラックスケール１に走行し、積載物を含むその運搬車３の総重量がトラックスケール１の記憶手段２に記憶されると共に、第２回目の測定が終了したという情報は、再びデジタルデータ処理装置５に送信される。デジタルデータ処理装置５は、この情報に基づき送信器７及び受信器８を介して該運搬車３に関する表示をモニター１２の画面から消去する。
【００３４】
複数の運搬車３に関する情報が、モニター１２に表示されている場合には、積載の終了した運搬車３に関する情報のみがモニター１２の画面から順次消去され、更に、新たな情報が画面に表示される。従って、作業機１０の積込オペレータは、積載の未だ終了していない運搬車３に関する情報だけを目視することが可能なり、その積載順序も容易に確認することができる。
【００３５】
また、運搬車が増加しても、積込オペレータは、モニター１２の画面を目視して表示された情報を常時確認できるので、運搬車３及びその積載物の種類等を誤認するのを防止することが可能である。
【００３６】
尚、本発明は上記の実施の形態に限定されるものではなく、例えば積載物は砂や砂利等の骨材に限定されるものではない。
しかも、トラックスケール１は単体であっても、または、複数であっても良く、更には、第１回目の測定と第２回目の測定とをそれぞれ別々のものであっても良く、かかる場合には、各トラックスケール１に入力された情報が、それぞれデジタルデータ処理装置５に送信されることとなる。
【００３７】
作業機１０は複数台であっても、それぞに情報の送信が可能となる。かかる場合に、各作業機１０は、通常各商品毎に積載物を積載しているが、仮に、特定の作業機１０において積載作業が集中して混み合ってきた場合には、他の混み合っていないオペレータは、モニター１２の情報に基づいて、その混み合っている作業機１０に迅速に応援にまわることができる。
【００３８】
また、上記実施の形態は、商品を限定販売する際にも最適である。即ち、例えば、営業政策上等の都合から、砂１に商品に関しては１００台までと限定する場合や、特定の顧客への商品の販売を１００台までとする場合等には、予め設定されている台数になった際には、該顧客の表示を決められた色に変化させたり、点滅させたり等することにより、積載作業の中止を指示できるため、販売管理を容易に行うことができる。尚、商品の販売を最初から中止している顧客の場合においても同様である。
【００３９】
更に、表示手段としては、前記モニター１２を採用することにより、情報が自動的に消去且つ表示されるため、積載作業中に、積込オペレータは積載に必要な情報を得るのに何らモニター１２を操作する必要がないのが望ましいが、積み込み作業の終了確認をする意味において、積込オペレータがその表示を消去できるようにしても良い。また、該モニター１２以外に、情報を文字で印刷するプリンター等であっても良い。
【００４０】
また、上記実施の形態では、トラックスケール１及びデジタル情報処理装置５に記憶手段を備えたが、単体の記憶手段であっても良く、例えば、またトラックスケール１は記憶手段２を備えていたが、トラックスケール１は、必ずしも記憶手段２を備える必要はなく、トラックスケール１の入力情報は、デジタル情報処理装置５の記憶手段５ａに記憶させておくことも可能である。
【００４１】
【発明の効果】
以上のように本発明は、第１回目の測定を行なう際に、積載物等の運搬車に関する所定の情報を入力し、該所定の情報を、データ処理機で処理した後に、無線機を介して前記作業機に設置された表示手段に転送表示し、作業機の積込オペレータが表示手段の表示に基づいて運搬車に積載物を積載するので、運搬車がトラックスケールを通過すると同時に、積込オペレータはその運搬車に関する情報が瞬時に且つ時系列で正確に得られる。
【００４２】
従って、商品を積み込む作業機のオペレータは、その表示に基づいて積み込み作業を行なうことにより、要求どおり且つ各運搬車の順序どおりに所定の積載物を運搬車に積載することができ、積込オペレータの積載作業に対する負担が軽減され、積載作業の作業性が大幅に向上する利点がある。
【００４３】
また、従来の如く人為的に情報を報告する場合に比し、人件費を下げることが可能となり、作業コスト面でも有利である。
【００４４】
しかも、前記データ処理機は順次送信されてくる各運搬車に関する情報を順番をつけて記憶し、前記モニターには、積載作業順にその情報が表示され、第２回目の測定を行なうことにより、積載作業の終了した運搬車に関する情報をモニターの画面から消去することにより、モニターには、未だ積載作業の終了していない運搬車に関する情報のみが表示されるだけであるため、積込オペレータは積載順序を容易に確認でき、しかも、積込オペレータは情報の消去を行なう手間が不要となる。
【００４５】
また、本発明の前記積載システムは、第１回目の測定時に、積載物等の運搬車に関する所定の情報を記憶する記憶手段と、該記憶手段に記憶された前記情報を処理するためのデータ処理機と、該データ処理機で処理された情報を作業機側に転送する無線機と、該作業機側に設けられ且つ前記無線機からの情報を積込オペレータが目視できるように表示する表示手段とを備えているので、上記方法を利用して積載作業性の向上と、作業コストの低減を容易に図ることが可能となる。
【図面の簡単な説明】
【図１】本発明の一実施の形態の積載システムを示す概略図である。
【図２】同モニターの第一画面を示す正面図である。
【図３】同モニターの第二画面を示す正面図である。
【符号の説明】
１          トラックスケール
２          記憶手段
３          運搬車
５          デジタルデータ処理装置（データ処理装置）
６          無線機
７          送信器
８          受信器
１０        作業機
１２        モニター（表示手段）
【図１】
0003770715.tif 000002
【図２】
0003770715.tif 000003
【図３】
0003770715.tif 000004